(57)【特許請求の範囲】
【請求項１】
台車と、該台車に搭載されている発電装置と、前記台車に伸縮自在に立設されている支柱と、前記支柱の上端部に取り付けられていて、前記発電装置より電力を受けて照明を行う照明装置とを備えた投光機であって、
前記照明装置は、前記支柱の上端部において、中間部が水平方向に回動可能に取り付けられているライト架台と、該ライト架台の両端部に、該ライト架台に対して直交するように、その中間部がライト架台との取付軸線を中心にして回動可能に取り付けられている灯具ブラケットと、前記各灯具ブラケットの両端部に回動可能に取り付けられている灯具と、前記ライト架台の両端の灯具ブラケット同士を連結するための着脱自在な連結丸棒とを備え、
前記ライト架台の両端部に設けた灯具ブラケットは、垂直位置から時計方向と反時計方向にそれぞれ９０°以上回動可能であり、かつ、両灯具ブラケットには、前記連結丸棒を連通させるための丸棒挿通孔を設け、必要に応じて、それらの丸棒挿通孔に、前記連結丸棒を連通させることにより前記ライト架台の両端の灯具ブラケット同士を連結して、両者を一体的に回動可能にしたことを特徴とする投光機。
【請求項２】
前記灯具ブラケットの、前記ライト架台への当接面に、ライト架台との取付軸線を中心とする円弧状のレバー挿通溝を設け、該レバー挿通溝の中に灯具ブラケット固定レバーを挿通するようにしたことを特徴とする請求項１に記載の投光機。
【請求項３】
前記レバー挿通溝が半円状であり、前記灯具ブラケットを垂直位置にしたとき、前記灯具ブラケット固定レバーが前記レバー挿通溝の長さ方向中間位置になるようにしたことを特徴とする請求項２に記載の投光機。
【発明の詳細な説明】
【技術分野】
【０００１】
本発明は、台車に立設した支柱に照明装置が取り付けられ、夜間の屋外工事等に使用される投光機に関するものである。
【背景技術】
【０００２】
夜間、屋外での道路工事や建設工事等の照明装置として、エンジン発電機を電源とした投光機が広く用いられている。投光機は、例えば、特許文献１に示されるように、車輪により移動可能な台車の上にエンジン発電機を搭載し、さらに、該台車に伸縮可能な支柱を立設し、該支柱の先端部に支持部材を介して複数の灯具を設けている。支持部材は、支柱の上端部に水平方向に回動可能に取り付けられており、その両端部に、水平方向及び垂直方向に回動可能となるように灯具が取り付けられていて、使用時には、灯具の照射角度を調整できるようにしている。
【０００３】
図１０は、従来の投光機を示す図である。この投光機の照明装置は、台車に立設されている支柱２の上端部において、水平方向に回動可能に取り付けられているライト架台１０の両端部に、灯具ブラケット１１，１１が回動可能に取り付けられており、各灯具ブラケット１１，１１の両端部に、灯具１２が水平方向及び上下方向に回動可能となるように取り付けられている。なお、１３は、台車上のエンジン発電機と各灯具１２とを接続するケーブルである。
【０００４】
このような投光機を使えば、夜間、屋外での道路工事や建設工事等において、灯具の位置や角度を変えて必要個所を明るく照らすことができる。
【先行技術文献】
【特許文献】
【０００５】
【特許文献１】特開２０１１−８１９２８号公報
【発明の概要】
【発明が解決しようとする課題】
【０００６】
しかしながら、上記従来の投光機には、高架式道路，鉄道の高架橋工事や、トンネル内上壁の補修工事等において、投光機を使用して地面から高所を照らしたい場合に使い勝手が悪いという問題点があった。
【０００７】
その点について、図１１を参照しながら説明する。図１１は、従来の投光機の灯具ブラケット及び灯具の俯仰を示す図である。図１１（Ａ）は、灯具ブラケット１１の俯仰を示しており、灯具ブラケット１１は、ライト架台１０との取付軸を中心にして９０°の角度範囲で回転できるようになっている。すなわち、灯具ブラケット１１に対して、灯具１２を９０°方向にセットした場合、図中実線で示すような、照射方向が横向きになる位置から、点線で示すような、照射方向が下向きになる位置までの間で調整可能になる。したがって、灯具ブラケット１１を回転させるだけでは、上向きの照射はできない。
【０００８】
また、図１１（Ｂ）は、灯具１２の俯仰を示しており、灯具１２は、灯具ブラケット１１に対して、取付軸方向外向きから取付軸方向内向きまでの１８０°の角度範囲で回転できるようになっている。すなわち、灯具１２の角度を調整して、上向きの照射をしようとすると、灯具ブラケット１１を垂直位置にして、上側と下側に位置する両方の灯具１２，１２を上向きにセットする必要があるが、図１１（Ｂ）で明らかなように、そのようにすると上下の灯具１２の位置が一部重なってしまう。そのため、下側になる灯具１２の照射光は、上側の灯具１２に当たって、その部分が影になってしまい、明るさにムラができるという問題が生じてしまう。しかも、４灯を使って照明する場合は、そのような調整を４灯分しなければならず、作業に手間がかかるという問題点もある。
【０００９】
本発明は、そのような問題点に鑑み、簡単な操作で各灯具を上向きに調整でき、明るさにムラがなく高所を照明できるようにすることを目的とするものである。
【課題を解決するための手段】
【００１０】
前記課題を解決するため、本願の請求項１にかかる発明は、台車と、該台車に搭載されている発電装置と、前記台車に伸縮自在に立設されている支柱と、前記支柱の上端部に取り付けられていて、前記発電装置より電力を受けて照明を行う照明装置とを備えた投光機であって、前記照明装置は、前記支柱の上端部において、中間部が水平方向に回動可能に取り付けられているライト架台と、該ライト架台の両端部に、該ライト架台に対して直交するように、その中間部がライト架台との取付軸線を中心にして回動可能に取り付けられている灯具ブラケットと、前記各灯具ブラケットの両端部に回動可能に取り付けられている灯具と、前記ライト架台の両端の灯具ブラケット同士を連結するための着脱自在な連結丸棒とを備え、前記ライト架台の両端部に設けた灯具ブラケットは、垂直位置から時計方向と反時計方向にそれぞれ９０°以上回動可能であり、かつ、両灯具ブラケットには、前記連結丸棒を連通させるための丸棒挿通孔を設け、必要に応じて、それらの丸棒挿通孔に、前記連結丸棒を連通させることにより前記ライト架台の両端の灯具ブラケット同士を連結して、両者を一体的に回動可能にしたことを特徴とする。
【００１１】
また、本願の請求項２にかかる発明は、請求項１にかかる発明において、前記灯具ブラケットの、前記ライト架台への当接面に、ライト架台との取付軸線を中心とする円弧状のレバー挿通溝を設け、該レバー挿通溝の中に灯具ブラケット固定レバーを挿通するようにしたことを特徴とする。
【００１２】
また、本願の請求項３にかかる発明は、請求項２にかかる発明において、前記レバー挿通溝が半円状であり、前記灯具ブラケットを垂直位置にしたとき、前記灯具ブラケット固定レバーが前記レバー挿通溝の長さ方向中間位置になるようにしたことを特徴とする。
【発明の効果】
【００１３】
本発明は、次のような効果を奏する。
すなわち、請求項１にかかる発明においては、ライト架台の両端の灯具ブラケットを、垂直位置から時計方向と反時計方向にそれぞれ９０°以上回動可能にしたので、簡単な操作で二つの灯具を同時に上向きに調整でき、しかも一方の灯具が邪魔になって影を作ることもないので、明るさにムラがなく高所を照明できるようになる。しかも、前記ライト架台の両端の灯具ブラケット同士を連結するための着脱自在な連結丸棒を備え、両灯具ブラケットには、前記連結丸棒を通すための丸棒挿通孔を設け、必要に応じて、それらの丸棒挿通孔に、前記連結丸棒を連通させることにより前記ライト架台の両端の灯具ブラケット同士を連結して、両者を一体的に回動可能にしたので、前記連結丸棒を連通させた際には、一度の操作で４灯の照射方向を同時に変えることができるようになる。
【００１４】
また、請求項２にかかる発明においては、請求項１にかかる投光機において、前記灯具ブラケットの、前記ライト架台への当接面に、ライト架台との取付軸線を中心とする円弧状のレバー挿通溝を設け、該レバー挿通溝の中に灯具ブラケット固定レバーを挿通するようにしたので、灯具ブラケットを垂直位置から時計方向、あるいは反時計方向に回動させたとき、レバー挿通溝の端部に灯具ブラケット固定レバーが当たることで、ストッパとして機能し、回り止めになる。
【００１５】
また、請求項３にかかる発明においては、請求項２にかかる投光機において、前記レバー挿通溝が半円状であり、前記灯具ブラケットを垂直位置にしたとき、前記灯具ブラケット固定レバーが前記レバー挿通溝の長さ方向中間位置になるようにしたので、灯具ブラケットを垂直位置から時計方向、あるいは反時計方向に回動させて、照明装置が丁度上向き又は下向きになったときにレバー挿通溝の端部に灯具ブラケット固定レバーが当たることになって、照明装置を上向き又は下向きにする際の位置決めが容易になる。
【図面の簡単な説明】
【００１６】
【図１】本発明の一実施例に係る投光機を示す図である。
【図２】図１の投光機のライト架台を示す図である。
【図３】図１の投光機の灯具ブラケットを示す図である。
【図４】照明装置を下向き及び上向きにした状態を示す図である。
【図５】ライト架台取付部の締付構造を示す図である。
【図６】ライト架台と灯具ブラケットの連結部を示す図である。
【図７】灯具ブラケットへの灯具取付具の締付構造を示す図である。
【図８】灯具ブラケットと灯具取付具の連結部を示す図である。
【図９】両灯具ブラケットを連結丸棒で連結した状態を示す図である。
【図１０】従来の投光機を示す図である。
【図１１】従来の投光機の灯具ブラケット及び灯具の俯仰を示す図である。
【発明を実施するための形態】
【００１７】
以下、本発明の実施例を図面に基づいて詳細に説明する。
【実施例１】
【００１８】
図１は、本発明の一実施例に係る投光機を示す図であり、図１（Ａ）は正面図、図１（Ｂ）は側面図である。図１において、１は照明装置、２は支柱、３は台車、４は車輪、５はエンジン発電機である。
【００１９】
支柱２が台車３に立設されており、その上端部には照明装置１が取り付けられている。支柱２は、上下に伸縮自在になっている。照明装置１は、台車３に搭載されているエンジン発電機５より電力を受けて照明を行う。台車３は、車輪４により移動可能になっている。
【００２０】
照明装置１のライト架台１ａは、支柱２の上端部において、中間部が水平方向に回動可
能に取り付けられている。灯具ブラケット１ｂは、ライト架台１ａの両端部に、ライト架台１ａに対して直交するように、その中間部がライト架台１ａとの取付軸線を中心にして回動可能に取り付けられている。そして、各灯具ブラケット１ｂ，１ｂの両端部には、灯具１ｃ，１ｃ，１ｃ，１ｃが、図１に矢印で示す方向に回動可能に取り付けられている。
【００２１】
ライト架台１ａは、図２に示すように、金属板を加工して細長い箱形に形成されていて、下面中央に、支柱２を受けるための支柱受部１ｄが設けられている。また、支柱受部１ｄの上部には、上面を貫通するようにボルト孔１ｅが設けられていて、それにライト架台取付ボルトが挿通される。また、側面には、灯具１ｃに電力を供給するためのケーブルが挿通されるケーブル挿通孔１ｆ,１ｇが形成されている。ケーブルは、ケーブル挿通孔１ｆからライト架台１ａ内に導入され、ケーブル挿通孔１ｇ,１ｇから導出されて、各灯具１ｃ，１ｃに接続される。さらに、両端面には、灯具ブラケット１ｂを取り付けるためのボルトを通す灯具ブラケット取付ボルト挿通孔１ｈと、灯具ブラケット１ｂの回転角度を固定するためのレバーを通す灯具ブラケット固定レバー挿通孔１ｉが設けられている。
【００２２】
灯具ブラケット１ｂは、図３に示すように、金属板を加工して台形に形成されていて、一方の側面にライト架台受板１ｊを有し、左右両側の上面に灯具取付面１ｋを有している。ライト架台受板１ｊの中央部には、ライト架台１ａに灯具ブラケット１ｂを取り付けるためのボルトを通すための取付孔１ｎが設けられ、灯具取付面１ｋには、灯具１ｃ取り付け用のボルトを通すための灯具取付孔１ｐが設けられている。灯具ブラケット１ｂには、さらに、後述する連結丸棒を通すための丸棒挿通孔１ｘが設けられている。
【００２３】
そして、灯具ブラケット１ｂのライト架台受板１ｊには、ライト架台１ａとの取付軸線を中心とし、両端が上下に位置するように半円状のレバー挿通溝１ｍを設け、該レバー挿通溝１ｍの中に灯具ブラケット固定レバーを通すようにした。その結果、灯具ブラケット１ｂが、前記ライト架台１ａとの取付軸線を中心にして１８０°回動可能になり、照明装置１が下向きにも、また上向きにもできるようになった。
【００２４】
なお、本実施例では、両端が上下に位置するように半円状のレバー挿通溝１ｍを設けたが、レバー挿通溝１ｍは、必ずしも、両端が上下に位置するように設ける必要はなく、灯具ブラケット１ｂが垂直位置にある状態で、半円状のレバー挿通溝１ｍの真ん中に灯具ブラケット固定レバーが位置するようにすれば、両端がその他の位置になるようにレバー挿通溝１ｍを設けることもできる。また、レバー挿通溝１ｍは、必ずしも半円状である必要はなく、全円周の半分を超える円弧であってもよい。
【００２５】
図４は、照明装置を下向き及び上向きにした状態を示す図である。符号は図１〜図３のものに対応しており、１ｑは灯具ブラケット取付ボルト、１ｒは灯具ブラケット固定レバー、１ｓは灯具取付具、１ｔは灯具取付ボルト、１ｕは灯具固定レバーである。
【００２６】
このように、レバー挿通溝１ｍが半円状になっていて、その両端が上下に位置するようにしており、その中の灯具ブラケット固定レバー１ｒに沿ってレバー挿通溝１ｍが移動できるようになっているため、図４（Ａ）に示すように、灯具１ｃが下向きになった状態から、図４（Ｂ）に示すように、灯具１ｃが上向きになった状態まで、灯具ブラケット固定レバー１ｒを緩めて灯具ブラケット１ｂを回転させるだけで、簡単に操作できる。しかも、各灯具１ｃは、照射面が同一面に位置するようになって、重なってしまうようなことがなく、影になって明るさにムラができることもない。
【００２７】
次に、各部の取付構造について説明する。
支柱２へのライト架台１ａの取り付けは、図１におけるＡの部分を拡大して図５に示すように、ライト架台１ａのボルト孔１ｅに、支柱２の先端に設けられたライト架台取付ボ
ルト１ｖを通して、それに樹脂ワッシャ１ｖ３と平座金１ｖ２を介在させて弛止めナット１ｖ１を締め付けて止めている。樹脂ワッシャ１ｖ３は、例えば、耐摩耗性，耐衝撃性，高い弾性率等、優れた機械的特性を有し、ジュラコンの商品名で知られているポリオキシメチレン樹脂を用いて形成されている。そのような樹脂ワッシャ１ｖ３を介在させたため、弛止めナット１ｖ１により適度な力で締め付ければ、ライト架台１ａは適度な摩擦力で保持され、ネジやレバ−の操作をすることなく角度を変更でき、その位置に保持させることができる。しかも、角度変更を繰り返し行っても、その効果を維持できる。
【００２８】
また、ライト架台１ａへの灯具ブラケット１ｂの取り付けは、図１におけるＢの部分を拡大して図６に示すように、灯具ブラケット１ｂの取付孔１ｎとライト架台１ａの灯具ブラケット取付ボルト挿通孔１ｈに、平座金１ｑ３，樹脂ワッシャ１ｑ4を介在させ、さらに、ライト架台１ａと灯具ブラケット１ｂの間にも樹脂ワッシャ１ｑ5を介在させて灯具ブラケット取付ボルト１ｑを通し、それをライト架台１ａの端板に溶接した溶接ナット１ｑ１に螺合させ、さらに六角ナット１ｑ２を螺合させることにより固定する。
【００２９】
さらに、灯具ブラケット１ｂのレバー挿通溝１ｍとライト架台１ａの灯具ブラケット固定レバー挿通孔１ｉに、平座金１ｒ2と樹脂ワッシャ１ｒ３，を介在させ、さらに、ライト架台１ａと灯具ブラケット１ｂの間にも樹脂ワッシャ１ｒ4を介在させて、灯具ブラケット固定レバー１ｒを通し、それをライト架台１ａの端板に溶接した溶接ナット１ｒ１に螺合させることにより締め付ける。この部分にも、各所に樹脂ワッシャを介在させているため、ネジやレバ−の操作をすることなく角度を変更でき、その位置に保持させることができる。しかも、角度変更を繰り返し行っても、その効果を維持できる。
【００３０】
また、灯具ブラケット１ｂへの灯具１ｃの取り付けは、図１におけるＣの部分を拡大して図７に示すように、灯具取付具１ｓの上に平座金１ｔ2を介在させ、さらに灯具取付具１ｓと灯具ブラケット１ｂの間に樹脂ワッシャ１ｔ４を介在させて、灯具取付具１ｓのボルト孔１ｓ１と灯具ブラケット１ｂの灯具取付孔１ｐとに、灯具取付ボルト１ｔを通し、弛止めナット１ｔ１でネジ止めしている。この部分でも、灯具取付具１ｓと灯具ブラケット１ｂの間に樹脂ワッシャ１ｔ４を介在させているため、ネジやレバ−の操作をすることなく灯具取付具１ｓの角度を変更でき、その位置に保持させることができる。しかも、角度変更を繰り返し行っても、その効果を維持できる。
【００３１】
図８に示すように、灯具取付具１ｓは、コの字状になっていて、その幅は、灯具ブラケット１ｂの幅と比べてかなり余裕を持たせているため、灯具取付具１ｓは、灯具取付ボルト１ｔを中心にして回動できるようになっている。
【００３２】
図９は、両灯具ブラケットを連結丸棒で連結した状態を示す図である。符号は、図１のものに対応しており、１ｗは、ライト架台１ａの両端の灯具ブラケット１ｂ，１ｂを連結する連結丸棒である。前述したように、灯具ブラケット１ｂに丸棒挿通孔１ｘを設けている。そして、その中に連結丸棒１ｗを通す。連結丸棒１ｗの一端には抜け止め部を設け、他端にはネジ部を設けており、連結丸棒１ｗを両灯具ブラケット１ｂ，１ｂの丸棒挿通孔１ｘに通した後、上記ネジ部に弛止めナットをネジ止めすることにより取り付ける。このようにすれば、一度の操作で４灯の照射方向を同時に変えることができる。
【００３３】
なお、丸棒挿通孔１ｘは、灯具ブラケット１ｂを１８０°回転させても、ケーブルが連結丸棒１ｗに掛かったりしないような位置に設ける。
【符号の説明】
【００３４】
１  照明装置
１ａ  ライト架台
１ｂ  灯具ブラケット
１ｃ  灯具
１ｄ  支柱受部
１ｅ，１ｓ１  ボルト孔
１ｆ，１ｇ  ケーブル挿通孔
１ｈ  灯具ブラケット取付ボルト挿通孔
１ｉ  灯具ブラケット固定レバー挿通孔
１ｊ  ライト架台受板
１ｋ  灯具取付面
１ｍ  レバー挿通溝
１ｎ  取付孔
１ｐ  灯具取付孔
１ｑ  灯具ブラケット取付ボルト
１ｑ１，１ｒ１  溶接ナット
１ｑ２  六角ナット
１ｑ３，１ｒ2，１ｔ2，１ｖ２  平座金
１ｑ４，１ｑ5，１ｒ３，１ｒ４，１ｔ４，１ｖ３    樹脂ワッシャ
１ｒ  灯具ブラケット固定レバー
１ｓ  灯具取付具
１ｔ  灯具取付ボルト
１ｔ１，１ｖ1  弛止めナット
１ｕ  灯具固定レバー
１ｖ  ライト架台取付ボルト
１ｗ  連結丸棒
１ｘ  丸棒挿通孔
２  支柱
３  台車  
４  車輪
５  エンジン発電機
【図１】
0006532377.tif 000002
【図２】
0006532377.tif 000003
【図３】
0006532377.tif 000004
【図４】
0006532377.tif 000005
【図５】
0006532377.tif 000006
【図６】
0006532377.tif 000007
【図７】
0006532377.tif 000008
【図８】
0006532377.tif 000009
【図９】
0006532377.tif 000010
【図１０】
0006532377.tif 000011
【図１１】
0006532377.tif 000012